(57)【特許請求の範囲】
【請求項１】
食材を入れるコップ状の容器本体（１）は、材料を紙製あるいは樹脂製とし、一般に市販されているものであり、
前記容器本体（１）を内側に入れて該容器本体（１）を間接的に持つ補助具（１０）は、一般にスリーブと呼ばれているものであり、
前記補助具（１０）は、前記容器本体（１）の形状と同様の筒状に形成されていると共に、上下に貫通し上部に至るほど拡開しており、
前記容器本体（１）内に入れる食材が熱い場合であって、該容器本体（１）を直に持つと熱い場合に前記補助具（１０）内に該容器本体（１）を入れて該補助具（１０）にて前記容器本体（１）を間接的に持つようにした食品用容器の補助具であって、
前記補助具（１０）は円弧状の２枚の平板（１０ａ）（１０ｂ）を重ね合わせて構成されており、
２枚の平板（１０ａ）（１０ｂ）を重ね合わせて、少なくとも一方の端部に上部は溶着しないで、略コ字型に線状に溶着することで、上面を開口したポケット部（１１）を形成し、
前記ポケット部（１１）に、串またはフォークを片手で出し入れ自在に保持するようにしていることを特徴とする食品用容器の補助具。
【請求項２】
食材を入れるコップ状の容器本体（１）は、材料を紙製あるいは樹脂製とし、一般に市販されているものであり、
前記容器本体（１）を内側に入れて該容器本体（１）を間接的に持つ補助具（１０）は、一般にスリーブと呼ばれているものであり、
前記補助具（１０）は、前記容器本体（１）の形状と同様の筒状に形成されていると共に、上下に貫通し上部に至るほど拡開しており、
前記容器本体（１）内に入れる食材が熱い場合であって、該容器本体（１）を直に持つと熱い場合に前記補助具（１０）内に該容器本体（１）を入れて該補助具（１０）にて前記容器本体（１）を間接的に持つようにした食品用容器の補助具であって、
前記補助具（１０）は円弧状の２枚の平板（１０ａ）（１０ｂ）を重ね合わせて構成されており、
２枚の平板（１０ａ）（１０ｂ）を重ね合わせて、少なくとも一方の端部に上部は溶着しないで、略Ｖ字型に線状に溶着することで、上面を開口したポケット部（１１）を形成し、
前記ポケット部（１１）に、串またはフォークを片手で出し入れ自在に保持するようにしていることを特徴とする食品用容器の補助具。
【請求項３】
前記ポケット部（１１）に保持されている串またはフォークの上部は、前記補助具（１０）より上方に突出していることを特徴とする請求項１または請求項２に記載の食品用容器の補助具。
【請求項４】
食材を入れるコップ状の容器本体（１）を内側に入れて前記容器本体（１）を間接的に持つ補助具（１０）であって、
前記補助具（１０）に、串またはフォークを片手で出し入れ自在に保持する保持手段を設け、
前記補助具（１０）を、筒状の内筒（１５）と、前記内筒（１５）の外側に位置する筒状の外筒（１６）と、前記内筒（１５）と前記外筒（１６）との間に介装されて断面が略ジグザグ状の緩衝材（１７）と、前記内筒（１５）と外筒（１６）の間の下面を閉塞する底板（１８）とで構成し、
前記緩衝材（１７）のジグザグ状の部分を前記保持手段としてのポケット部（１１）としていることを特徴とする食品用容器の補助具。
【発明の詳細な説明】
【技術分野】
【０００１】
本発明は、鶏肉、豚肉、牛肉などの唐揚げ物、おでん、団子、田楽、ミニドーナツ、オツマミなどの食材をコップ状の容器に入れて、該容器内の食材を指で摘むことなく、食材を食べることができるようにした食品用容器の補助具に関するものである。
【背景技術】
【０００２】
鶏肉、豚肉、牛肉などの唐揚げ物、おでん、団子、田楽、ミニドーナツ、オツマミなどの食材をコップ状の容器に入れ、これら食材を入れた容器ごと販売したり、あるいは無償でサービスとして提供する場合がある。
容器内の食材を食べる場合、指で直接食材を摘んで食べると、指が汚れてしまい、食べた後に指を舐めるか、水で洗うことになる。また、別途串を用いて食材を突き刺して食べる場合もある。
【０００３】
これらの串は、容器とは別途に置いてあり、予め容器に串が設けられておらず、店内などで食べる場合は、店内に置いてある串を用いて食べることができるが、一度、店などその場所から離れると、串を入手することができず、上述したように指を食材を摘んで食べざるを得ないことになる。
【０００４】
そこで、食材を入れる容器に串を備え付けたものとして、例えば、下記に示す特許文献１が挙げられる。
【先行技術文献】
【特許文献】
【０００５】
【特許文献１】特開２０００−３３９４８号公報
【０００６】
上記特許文献１は、焼き鳥、つくね、団子などの串刺し食品を容器に入れているものであり、つくね、焼き鳥、団子等の塊状の食品を縦方向に３〜４個程度を収容することができる高さを有する筒状容器若しくは箱状容器とし、該容器内に前記塊状の食品を上から容易に取り出すことができる開口面を有する仕切り、若しくは仕切り筒を係着し、複数の仕切り区分を構成しているものである。
【０００７】
また、各仕切り区分内には前記塊状の食品を串に刺さないバラの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００８】
上記特許文献１では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器をどこかに置いて両方の手で収納袋を破いて収納袋から串を取り出して、やっと串刺し食品を食べることができる。
【０００９】
そのため、この特許文献１においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要がある。そのため、歩きながら串を取り出して串刺し食品を食べることが非常に困難であるという問題を有している。
【００１０】
ところで、コーヒーショップなどで、ホットコーヒーを注文した場合、紙製あるいは樹脂製でコップ状の容器にホットコーヒーが入れられてくるが、手で直に持つと熱いので、上下が貫通した円筒状でスリーブと呼ばれている補助具に入れて持つことができるようになっている。
この補助具は、容器を入れることで、補助具が容器の外側になって断熱し、容器の表面が熱くても補助具には熱が伝わりにくくなって、補助具を手で直に持つことができるものである。
【００１１】
また、熱い液体以外に容器に上述の熱い食材を入れた場合でも、人によっては容器を直に持つと熱く感じる場合もある。そこで、上記のスリーブと呼ばれている補助具を介して容器を持つ場合も生じる。
【００１２】
しかし、紙製あるいは樹脂製でコップ状の容器や、該容器を入れる補助具は、容器や補助具単独であって、容器や補助具に食材を突き刺して食べる串などは装着されていない。
また、串などを出し入れ自在に保持する保持手段が容器や補助具に設けられておらず、近くに串などが無い場合では、食材を直接指で摘んで食べるしかなく、指が汚れるという問題があった。
【００１３】
本発明は上述の問題点に鑑みて提供したものであって、少なくとも以下の目的を持った食品用容器の補助具を提供するものである。
（１）串またはフォークをスリーブと呼ばれている補助具に容易に保持できるようにすること。
（２）串またはフォークを補助具から取り出す場合に、すぐに取り出すことができること。
（３）串またはフォークを補助具から取り出す場合に、食材を入れた容器を入れている補助具をどこかに一旦置くことなく、一方の手で容器ごと補助具を持ち、他方の手で串またはフォークを取り出すことができること。
（４）串またはフォークの先端部分は補助具から外部に露出させずに衛生的とすること。
【課題を解決するための手段】
【００１４】
【００１５】
請求項１に記載の食品用容器の補助具では、食材を入れるコップ状の容器本体１は、材料を紙製あるいは樹脂製とし、一般に市販されているものであり、
前記容器本体１を内側に入れて該容器本体１を間接的に持つ補助具１０は、一般にスリーブと呼ばれているものであり、
前記補助具１０は、前記容器本体１の形状と同様の筒状に形成されていると共に、上下に貫通し上部に至るほど拡開しており、
前記容器本体１内に入れる食材が熱い場合であって、該容器本体１を直に持つと熱い場合に前記補助具１０内に該容器本体１を入れて該補助具１０にて前記容器本体１を間接的に持つようにした食品用容器の補助具であって、
前記補助具１０は円弧状の２枚の平板１０ａ、１０ｂを重ね合わせて構成されており、
２枚の平板１０ａ、１０ｂを重ね合わせて、少なくとも一方の端部に上部は溶着しないで、略コ字型に線状に溶着することで、上面を開口したポケット部１１を形成し、
前記ポケット部１１に、串またはフォークを片手で出し入れ自在に保持するようにしていることを特徴としている。
【００１６】
請求項２に記載の食品用容器の補助具では、食材を入れるコップ状の容器本体１は、材料を紙製あるいは樹脂製とし、一般に市販されているものであり、
前記容器本体１を内側に入れて該容器本体１を間接的に持つ補助具１０は、一般にスリーブと呼ばれているものであり、
前記補助具１０は、前記容器本体１の形状と同様の筒状に形成されていると共に、上下に貫通し上部に至るほど拡開しており、
前記容器本体１内に入れる食材が熱い場合であって、該容器本体１を直に持つと熱い場合に前記補助具１０内に該容器本体１を入れて該補助具１０にて前記容器本体１を間接的に持つようにした食品用容器の補助具であって、
前記補助具１０は円弧状の２枚の平板１０ａ、１０ｂを重ね合わせて構成されており、
２枚の平板１０ａ、１０ｂを重ね合わせて、少なくとも一方の端部に上部は溶着しないで、略Ｖ字型に線状に溶着することで、上面を開口したポケット部１１を形成し、
前記ポケット部１１に、串またはフォークを片手で出し入れ自在に保持するようにしていることを特徴としている。
【００１７】
請求項３に記載の食品用容器の補助具では、前記ポケット部１１に保持されている串またはフォークの上部は、前記補助具１０より上方に突出していることを特徴としている。
【００１８】
【００１９】
【００２０】
【００２１】
【００２２】
【００２３】
請求項４に記載の食品用容器の補助具では、食材を入れるコップ状の容器本体１を内側に入れて前記容器本体１を間接的に持つ補助具１０であって、
前記補助具１０に、串またはフォークを片手で出し入れ自在に保持する保持手段を設け、
前記補助具１０を、筒状の内筒１５と、前記内筒１５の外側に位置する筒状の外筒１６と、前記内筒１５と前記外筒１６との間に介装されて断面が略ジグザグ状の緩衝材１７と、前記内筒１５と外筒１６の間の下面を閉塞する底板１８とで構成し、
前記緩衝材１７のジグザグ状の部分を前記保持手段としてのポケット部１１としていることを特徴としている。
【発明の効果】
【００２４】
【００２５】
請求項１に記載の食品用容器の補助具によれば、前記補助具１０は円弧状の２枚の平板１０ａ、１０ｂを重ね合わせて構成されており、２枚の平板１０ａ、１０ｂを重ね合わせて、少なくとも一方の端部に上部は溶着しないで、略コ字型に線状に溶着することで、上面を開口したポケット部１１を形成しているので、補助具１０の端部に上面を開口したポケット部１１を容易に形成することができる。
また、前記ポケット部１１に、串またはフォークを片手で出し入れ自在に保持するようにしているので、従来とは異なり、容器本体１を入れた補助具１０をどこかに一旦置く必要がなく、一方の手で補助具１０を持ち、他方の手で串またはフォークを容易に取り出すことができる。
【００２６】
請求項２に記載の食品用容器の補助具によれば、前記補助具１０は円弧状の２枚の平板１０ａ、１０ｂを重ね合わせて構成されており、
２枚の平板１０ａ、１０ｂを重ね合わせて、少なくとも一方の端部に上部は溶着しないで、略Ｖ字型に線状に溶着することで、上面を開口したポケット部１１を形成しているので、補助具１０の端部に上面を開口したポケット部１１を容易に形成することができる。
また、前記ポケット部１１に、串またはフォークを片手で出し入れ自在に保持するようにしているので、従来とは異なり、容器本体１を入れた補助具１０をどこかに一旦置く必要がなく、一方の手で補助具１０を持ち、他方の手で串またはフォークを容易に取り出すことができる。
【００２７】
請求項３に記載の食品用容器の補助具によれば、前記ポケット部１１に保持されている串またはフォークの上部は、前記補助具１０より上方に突出していることで、串またはフォークを容易に掴んで補助具１０から取り出すことができる。また、串またはフォークの先端部分は、ポケット部１１内に位置しているので、販売者がポケット部１１に触れても、串またはフォークには直接触れないために衛生的である。
【００２８】
【００２９】
【００３０】
【００３１】
【００３２】
【００３３】
請求項４に記載の食品用容器の補助具によれば、補助具１０に、串またはフォークを片手で出し入れ自在に保持する保持手段を設け、前記補助具１０を、筒状の内筒１５と、前記内筒１５の外側に位置する筒状の外筒１６と、前記内筒１５と前記外筒１６との間に介装されて断面が略ジグザグ状の緩衝材１７と、前記内筒１５と外筒１６の間の下面を閉塞する底板１８とで構成し、前記緩衝材１７のジグザグ状の部分を前記保持手段としてのポケット部１１としていることで、補助具１０の周縁に連続してポケット部１１を形成することができ、串またはフォークを任意の位置のポケット部１１に出し入れ自在保持させることができる。また、ポケット部１１から串またはフォークを取り出す場合も、単に串またはフォークを持って引き上げるだけで、取り出すことができる。
【図面の簡単な説明】
【００３４】
【図１】本発明の第１の実施の形態における容器本体及び補助具の斜視図である。
【図２】本発明の第１の実施の形態における補助具の平面図である。
【図３】本発明の第１の実施の形態における補助具の正面図である。
【図４】本発明の第１の実施の形態における補助具の底面図である。
【図５】本発明の第１の実施の形態における容器本体を補助具に入れた状態の図である。
【図６】本発明の第１の実施の形態における補助具のポケット部に串を差し込んだ状態の正面図である。
【図７】本発明の第１の実施の形態における補助具のポケット部に串を差し込んだ状態の側面図である。
【図８】本発明の第１の実施の形態における補助具にポケット部を形成する方法の説明図である。
【図９】本発明の第１の実施の形態における補助具にポケット部を形成する方法の説明図である。
【図１０】本発明の第１の実施の形態における補助具にポケット部を形成する他の方法の説明図である。
【図１１】本発明の第１の実施の形態における補助具にポケット部を形成する他の方法の説明図である。
【図１２】本発明の第２の実施の形態における補助具の斜視図である。
【図１３】本発明の第２の実施の形態における補助具の平面図である。
【図１４】本発明の第２の実施の形態における補助具の正面図である。
【図１５】本発明の第２の実施の形態における補助具の底面図である。
【図１６】本発明の第２の実施の形態における補助具のポケット部に串を差し込んだ状態の正面図である。
【図１７】本発明の第２の実施の形態における補助具のポケット部に串を差し込んだ状態の側面図である。
【図１８】本発明の第３の実施の形態における補助具の正面図である。
【図１９】本発明の第３の実施の形態における補助具のポケット部に串を差し込んだ状態の正面図である。
【図２０】本発明の第４の実施の形態における補助具等の斜視図である。
【図２１】本発明の第５の実施の形態における補助具の正面図である。
【図２２】本発明の第５の実施の形態における補助具の側面図である。
【図２３】本発明の第３の実施の形態における補助具のポケット部に串を差し込んだ状態の側面図である。
【図２４】本発明の第６の実施の形態における補助具の正面図である。
【図２５】本発明の第６の実施の形態における支持片の拡大斜視図である。
【図２６】本発明の第６の実施の形態における補助具の受け部と支持片に串を保持させている状態の図である。
【図２７】本発明の第７の実施の形態における支持片の拡大斜視図である。
【図２８】本発明の第７の実施の形態における補助具の受け部と支持片に串を保持させている状態の図である。
【図２９】本発明の第８の実施の形態における補助具の受け部と支持片に串を保持させている状態の図である。
【図３０】本発明の第９の実施の形態における支持片の拡大斜視図である。
【図３１】本発明の第９の実施の形態における補助具の受け部と支持片に串を保持させている状態の図である。
【図３２】本発明の実施の形態における他の補助具の例を示す図である。
【発明を実施するための形態】
【００３５】
（第１の実施の形態）
以下、本発明の第１の実施の形態を図面を参照して詳細に説明する。図１〜図７は第１の実施形態を示し、図１は、容器本体１と、スリーブと呼ばれている補助具１０の斜視図を示している。
【００３６】
容器本体１は、紙製あるいは樹脂製でコップ状に形成されており、一般に市販されているものであり、また、コーヒーショップなどで提供される周知な形状のものであり、上部に至るほど拡開している。
補助具１０は、上下に貫通して筒状に形成されており、この補助具１０は、容器本体１の外側に被せる断熱用の素材で構成されている。補助具１０は、例えば、容器本体１と同様の紙材で形成するようにしても良い。
【００３７】
容器本体１や補助具１０の大きさは特に限定されないが、容器本体１及び補助具１０は、片手で持ちやすい大きさとしている。
【００３８】
図２は補助具１０の平面図を、図３は補助具１０の正面図を、図４は補助具１０の底面図をそれぞれ示している。図１〜図４に示すように、補助具１０の外側には、串またはフォークの先端部分を出し入れ自在に保持する保持手段であるポケット部１１が該補助具１０に一体に形成されている。
【００３９】
次に、補助具１０にポケット部１１を一体に形成する方法について説明する。図８は、ポケット部１１を形成する前の補助具１０の斜視図を示し、この補助具１０は一般に市販されているものと同じ形状である。
そして、補助具１０の上下面は貫通しており、略円筒状であり、上部に至るほど拡開している。この補助具１０を前後若しくは左右から図中矢印に示すように押圧すると図９に示すように偏平にすることができる。
【００４０】
補助具１０を偏平に押圧すると、図９に示すように円弧状になり、この状態で図９に示す破線のように線状に溶着することで、補助具１０の端部に上面を開口したポケット部１１を容易に形成することができる。
補助具１０の材料は、紙材とこの紙材の表面と裏面には樹脂が貼合されていて、この樹脂により熱を加えることで、容易に溶着させることができる。この溶着している部分を溶着部１２としている。
【００４１】
また、後述するように、図９の状態で、両側に線状に溶着することで、補助具１０の両側にポケット部１１をそれぞれ形成することができる。
【００４２】
また、図１０及び図１１に示すように、上記と異なる方法にてポケット部１１を形成する方法もある。円弧状の２枚の平板１０ａ、１０ｂを重ね合わせて、一方の端部に上部は溶着しないで、略コ字型に線状に溶着することで、ポケット部１１を容易に形成することができる。
また、上記と同様に２枚の平板１０ａ、１０ｂを重ね合わせて、両側の端部に略コ字型に線状に溶着することで、ポケット部１１を両側に容易に形成することができる。
【００４３】
いずれの方法にてポケット部１１を形成しても良いが、後述する各実施形態では、いずれかのポケット部１１を記載しているが、他方の方法で形成したポケット部１１でも良い。
なお、補助具１０にポケット部１１を形成する場合、ポケット部１１の大きさを考慮して容器本体１より径方向が大きい補助具１０を用いる。
【００４４】
図３に示すポケット部１１の上部を除いた内側と底部の部分に斜線を施している部分が溶着している箇所であり、ポケット部１１の上部を開口させて串などの先端部分を収納する空洞の収納部１３を形成している。
そして、ポケット部１１に串またはフォークの先端部分を出し入れ自在に保持するようになっている。
【００４５】
前記容器本体１内には、鶏肉、豚肉、牛肉などの唐揚げ物、おでん、団子、田楽、ミニドーナツ、オツマミなどの食材が入れられて、これらの食材が入った状態で容器本体１が販売されたり、無償のサービスとして提供される。
図５は容器本体１に補助具１０を被せた場合を示しており、補助具１０を用いる場合としては、例えば、容器本体１の中に入れる食材が熱くて容器本体１を持つことができない場合や、また、容器本体１に食材を入れる際に食材の汁や粉が容器本体１の表面に付着した場合がある。もちろん、それ以外に任意に補助具１０を用いる場合もある。
【００４６】
そして、容器本体１内に食材を入れる前、あるいは食材を容器本体１内に入れた後に、補助具１０を介して容器本体１を持つ際に、図６及び図７に示すように、串またはフォーク（含簡易フォーク）、図示例では串６をポケット部１１に出し入れ自在に保持している。図６は補助具１０の正面図を、図７は補助具１０の側面図をそれぞれ示している。
串６を補助具１０のポケット部１１に差し込んで保持させるのは、ポケット部１１に予め串６を保持させておいても良く、また、補助具１０を介して容器本体１を持ってから串６をポケット部１１に保持させるようにしても良い。
【００４７】
また、串６の先端部分、図示例では串６の下半分程度を補助具１０のポケット部１１内に差し込んで保持させた場合、ポケット部１１の下部は溶着部１２にて閉塞されているので、串６の下部が外部に露出することはない。
【００４８】
このように、本実施形態では、容器本体１の断熱用の補助具１０の外側面にポケット部１１を設けているものであり、補助具１０のポケット部１１の収納部１３に串６の下部を挿入するだけで、串６を補助具１０に容易に保持させることができる。また、販売者が補助具１０単体、あるいは補助具１０を介した容器本体１を購入者に手渡す場合にも、販売者の指がポケット部１１に触れても串６には直接触れないために、衛生的である。
【００４９】
また、串６を補助具１０から取り出す場合にも、ポケット部１１の上下方向の長さは串６の長さより短くしていて、ポケット部１１に串６を差し込んだ状態では、串６の上部は補助具１０や容器本体１より上方に突出しているので、この突出している串６の上部を片手で持って単に引き上げるだけで、簡単に串６を補助具１０のポケット部１１から取り出すことができる。そして、取り出した串６を用いて容器本体１内の食材を突き刺して食べることで、指を汚すことなく食材を食べることができる。
【００５０】
特に、串６を補助具１０から取り出す場合、従来では、容器を一旦どこかに置いて串が入っている収納袋を容器から剥がして、該収納袋を両手で破って串を取り出すようにしていたが、本実施形態では、容器本体１を入れた補助具１０を一旦どこかに置く必要もなく、一方の手で補助具１０を持ち、他方の手で串６を簡単に取り出すことができるものである。
【００５１】
なお、串６を補助具１０のポケット部１１に出し入れ自在保持させた状態でも、ポケット部１１自体が外側に傾斜しているので、串６は補助具１０の外面に沿って突出した状態となっており、そのため、串６を保持させた状態でも、補助具１０自体、あるいは容器本体１を入れた状態での補助具１０を幾つか上下に重ね合わせることができる。
【００５２】
また、本実施形態では、食材を食べる場合に串６を例にして説明したが、串６に限らず、フォーク（含簡易フォーク）にも適用できるものである。
【００５３】
（第２の実施の形態）
次に、第２の実施形態を図１２〜図１７により説明する。先の実施形態では、補助具１０に設けたポケット部１１を１カ所としていたが、本実施形態では、補助具１０の両側に２カ所のポケット部１１を設けた場合である。
図１２は補助具１０の斜視図を、図１３は補助具１０の平面図を、図１４は補助具１０の正面図を、図１５は補助具１０の底面図をそれぞれ示している。また、図１６は容器本体１を入れた補助具１０のポケット部１１に串６を出し入れ自在に保持させた正面図を示し、図１７は側面図を示している。
【００５４】
補助具１０の両側にポケット部１１を設ける場合、先の実施形態と同様に簡単に形成することができる。また、補助具１０の両側にポケット部１１を形成する方法は先の実施形態と同じなので、説明は省略する。
本実施形態においても、先の実施形態と同様の効果を奏するものである。特に、本実施形態では、補助具１０の両側のポケット部１１に串６を出し入れ自在に保持させることができので、カップルで使用したり、あるいは串６以外の食材に応じてフォークを保持させることができる。
【００５５】
（第３の実施の形態）
次に、図１８及び図１９により第３の実施形態について説明する。本実施形態では補助具１０のポケット部１１の形状を先の実施形態と比べて若干異ならせたものである。すなわち、ポケット部１１の下部を細くしたものであり、ポケット部１１の作成方法や機能は先の実施形態と同様である。
また、本実施形態においても、第１、第２の実施形態と同様の効果を奏するものである。
【００５６】
なお、先の各実施形態では、補助具１０のポケット部１１の数を１カ所、あるいは２カ所の場合について説明したが、補助具１０の外周面に３カ所〜６カ所程度のポケット部１１を形成するようにしても良い。
【００５７】
（第４の実施の形態）
第４の実施形態を図２０に示す。本実施形態では、補助具１０の材料を先の実施形態とは異ならせたものである。本実施形態の補助具１０の材料として、段ボール形状のものを用いており、上部に至るほど拡開している内筒１５と、この内筒１５の外側に位置する外筒１６と、上記内筒１５と外筒１６との間に介装されて断面が略ジグザグ状で筒状の弾力性を有する緩衝材１７とで補助具１０を構成している。
【００５８】
内筒１５と外筒１６との間の空間部分に断面を略ジグザグとした緩衝材１７を介装させているものであり、緩衝材１７のジグザグ状の部分をポケット部１１とすることで、補助具１０の周方向に沿って多数のポケット部１１を形成することができる。
また、補助具１０の各ポケット部１１の底面を閉塞するために、補助具１０の底面にリング円板状の底板１８を設けている。この底板１８により串６をポケット部１１に出し入れ自在保持させても、串６の先端がポケット部１１から突き抜けることを防止している。
【００５９】
なお、緩衝材１７の波の高さや幅を適宜設定することで、串またはフォークを出し入れ自在にポケット部１１にて保持させることができる。
【００６０】
このように、本実施形態では、補助具１０の周縁に連続してポケット部１１を形成しているので、串またはフォークを任意の位置のポケット部１１に出し入れ自在保持させることができる。
また、ポケット部１１から串またはフォークを取り出す場合も、単に串またはフォークを持って引き上げるだけで、取り出すことができる。
【００６１】
（第５の実施の形態）
図２１〜図２３により第５の実施形態について説明する。本実施形態のポケット部１１は、１枚の四角のポケット片１１ａの上部を除いて略コ字型に接着剤を塗布して補助具１０の表面（外側面）に接着（図中の斜線部分）させることで、ポケット部１１を形成している。そして、ポケット部１１は上部を開口させて串等の先端部分を収納する空洞状の収納部１３を形成している。
本実施形態では、ポケット片１１ａを補助具１０の外側面に接着させてポケット部１１を形成しているので、ポケット部１１を補助具１０の外側面に容易に形成することができる。
【００６２】
なお、ポケット部１１のポケット片１１ａの材料としては、補助具１０の材料と同質の紙製あるいは樹脂で構成しているが、その他の材料、例えば、伸縮性のある樹脂フィルムを用いても良い。
ポケット部１１に伸縮性のある樹脂フィルムを用いることで、収納部１３の空間部分を押しつぶす形で補助具１０の表面に平たく押さえつけることができる。これにより、補助具１０を上下に重ね合わせることができる。
【００６３】
図２３は、補助具１０のポケット部１１に串６の下部を挿入して、該串６をポケット部１１にて出し入れ自在に保持させている状態を示している。
なお、図２１以降は、容器本体１は図示省略している。
【００６４】
本実施形態においても、先の各実施形態と同様の効果を奏するものである。また、図示例では、補助具１０にポケット部１１を１カ所のみ設けていたが、補助具１０の両側にポケット部１１をそれぞれ設けても良く、また、３カ所〜６カ所程度ポケット部１１を設けるようにしても良い。
【００６５】
（第６の実施の形態）
第６の実施の形態を図２４〜図２６に示す。補助具１０の外面の下部に前記ポケット部１１と同様な構成であって、上下方向の寸法を短くし、串６の先端部を受ける受け部２１を設け、補助具１０の上部の外面には、串６を支持する略コ字型の支持片２２を設けたものである。
前記受け部２１は、上部が開口しており、内部には串６の先端部分が挿入されて該串６を受けるようになっている。
【００６６】
また、支持片２２は図２５に示すように、一方の片を接着片２３とし、補助具１０の湾曲した形状に合わせて少し円弧状に曲線されている。この支持片２２は、少し厚みを持たせており、例えば、補助具１０が紙製であれば、同質の材料を用いている。つまり、図２６に示すように、串６を支持片２２にて支持させた状態でも、該支持片２２が変形しない程度の厚みを持たせている。
また、支持片２２は、図２４及び図２６に示すように、受け部２１より左右方向にずらせた位置に配設すると共に、支持片２２の左側を開口面として補助具１０に配設している。
【００６７】
串６の先端部を受け部２１内に挿入すると共に、串６を支持片２２にて支持させることで、串６は斜めに傾斜して串６は受け部２１と支持片２２にて出し入れ自在に保持される。なお、受け部２１と支持片２２とで串６を出し入れ自在に保持する保持手段を構成している。
ここで、支持片２２は受け部２１に対して左右方向にずらせていることで、串６は支持片２２側に傾斜した状態で保持されるので、串６が左方に倒れて、串６が補助具１０から脱落することはない。
【００６８】
串６を補助具１０に保持する場合は、串６の先端部分を受け部２１に保持させ、串６の中間部分を支持片２２に係止させるだけで、串６を簡単に補助具１０に保持させることができる。
串６を補助具１０から取り出す場合は、串６をそのまま引き上げるか、あるいは、串６を少し左方に傾けて支持片２２から串６を離し、そのまま串６を引き上げることで、串６を補助具１０から容易に取り出すことができる。
本実施形態においても、従来とは異なり、補助具１０をどこかに一旦置く必要がなく、一方の手で補助具１０を持ち、他方の手だけで串またはフォークを容易に取り出すことができる。
【００６９】
この実施形態においても、受け部２１及び支持片２２を補助具１０の外面に複数設けても良い。
【００７０】
本実施形態においても、先の各実施形態と同様の効果を奏するものである。
【００７１】
（第７の実施の形態）
図２７及び図２８は第７の実施形態を示し、前記第６の実施形態の支持片２２とは対称な支持片２２を形成し、該支持片２２を図２８に示すように、受け部２１に対して左方の配設したものである。
本実施形態では、第６の実施形態と比べて支持片２２の構成と配設位置が異なるだけで、基本的な構成は同じなので、本実施形態において第６の実施形態と同様の効果を奏するものである。
【００７２】
（第８の実施の形態）
図２９は第８の実施形態を示し、上記第６と第７の実施形態を合わせたものであり、受け部２１の上方の左右に支持片２２をそれぞれ補助具１０の外面に配設したものである。
串６の出し入れの作用や効果は上記と同様なので、説明は省略する。
【００７３】
（第９の実施の形態）
図３０及び図３１に第９の実施の形態を示す。本実施形態では、串６を支持する支持片３０を略Ｃ字状に形成したものであり、支持片３０の両側には、補助具１０の外面に接着させる接着片３１が折曲形成されている。この接着片３１は図示例では、平板状に形成されているが、円弧状に形成しても、もちろん良いものである。
【００７４】
本実施形態においても、先の各実施の形態と同様の効果を奏するものである。本実施形態では、特に、受け部２１及び支持片３０の材料として、伸縮性のある樹脂フィルムを用いることで、受け部２１及び支持片３０を平坦にすることができ、そのため、補助具１０を上下に多数重ね合わせることができる。
【００７５】
なお、上記第５の実施形態から第９の実施形態では、保持手段としてのポケット部１１や、受け部２１及び支持片２２（３０）を補助具１０の外面に１カ所だけ設けていたが、複数設けるようにしても良いのは、もちろんである。
【００７６】
ところで、上記各実施形態での補助具１０は、スリーブと呼ばれている筒状の場合について説明したが、かかる形状の補助具１０に限らず、他の補助具にも本発明を適用することができるものである。
例えば、図３２に示すように、容器本体１を受けるコップ状の補助具１０であり、該補助具１０の底部は閉塞されていて、容器本体１を確実に受けることができる。また、補助具１０の外面には把手４０が設けられている。
【００７７】
図３２では、補助具１０の外面に串またはフォークを出し入れ自在に保持する保持手段を描いていないが、上記各実施形態でのポケット部１１等の保持手段をそれぞれ設けるようにしている。
【符号の説明】
【００７８】
１  容器本体
１０  補助具
１１  ポケット部
１１ａ  ポケット片
１２  溶着部
１３  収納部
１５  内筒
１６  外筒
１７  緩衝材
１８  底板
２１  受け部
２２  支持片
２３  接着片
３０  支持片
３１  接着片
【要約】
【課題】串、ストロー、フォーク、スプーンなどの食器をスリーブと呼ばれている補助具に容易に出し入れ自在に保持できること。また、食器を補助具から取り出す場合に、食材を入れた容器を入れている補助具をどこかに一旦置くことなく、一方の手で容器ごと補助具を持ち、他方の手で串などの食器を取り出すことができること。
【解決手段】容器本体１を入れるスリーブと呼ばれている補助具１０の外側面に上部を開口したポケット部１１を一体に形成する。このポケット部１１に串６を挿入して、該串６をポケット部１１にて出し入れ自在に保持する。串６を補助具１０から取り出す場合、食材を入れた容器本体１を入れている補助具１０をどこかに一旦置くことなく、一方の手で容器本体１ごと補助具１０を持ち、他方の手で串６を取り出す。
【選択図】図６【図１】
0005182832.tif 000002
【図２】
0005182832.tif 000003
【図３】
0005182832.tif 000004
【図４】
0005182832.tif 000005
【図５】
0005182832.tif 000006
【図６】
0005182832.tif 000007
【図７】
0005182832.tif 000008
【図８】
0005182832.tif 000009
【図９】
0005182832.tif 000010
【図１０】
0005182832.tif 000011
【図１１】
0005182832.tif 000012
【図１２】
0005182832.tif 000013
【図１３】
0005182832.tif 000014
【図１４】
0005182832.tif 000015
【図１５】
0005182832.tif 000016
【図１６】
0005182832.tif 000017
【図１７】
0005182832.tif 000018
【図１８】
0005182832.tif 000019
【図１９】
0005182832.tif 000020
【図２０】
0005182832.tif 000021
【図２１】
0005182832.tif 000022
【図２２】
0005182832.tif 000023
【図２３】
0005182832.tif 000024
【図２４】
0005182832.tif 000025
【図２５】
0005182832.tif 000026
【図２６】
0005182832.tif 000027
【図２７】
0005182832.tif 000028
【図２８】
0005182832.tif 000029
【図２９】
0005182832.tif 000030
【図３０】
0005182832.tif 000031
【図３１】
0005182832.tif 000032
【図３２】
0005182832.tif 000033